【事件の表示】
　特願２００９−１６３３８１「内部電流キャンセル機能及び底面端子を有する多層セラミック・コンデンサ」拒絶査定不服審判事件〔平成２２年　２月２５日出願公開、特開２０１０−　４５３３９〕について、次のとおり審決する。
【結　論】
　本件審判の請求は、成り立たない。
【理　由】
１．手続の経緯
　本願は、平成２１年７月１０日（パリ条約による優先権主張　２００８年８月１８日　米国）の出願であって、平成２５年７月２４日付け拒絶理由通知に対して同年１０月２３日付けで意見書の提出とともに手続補正がされたが、平成２５年１１月７日付けで拒絶査定がなされた。
　これに対して、平成２６年３月１０日付けで拒絶査定不服審判が請求されるとともに、同日付で手続補正がされたが、当審における平成２６年１０月２４日付け拒絶理由通知に対して、平成２７年１月２２日付けで意見書を提出するとともに手続補正がなされたものである。
２．本願発明
　本願の請求項１ないし１３に係る発明は、平成２７年１月２２日付け手続補正により補正された特許請求の範囲の請求項１ないし１３に記載された事項により特定されるとおりのものと認められるところ、請求項１に係る発明（以下「本願発明」という。）は、次のとおりのものである。
「【請求項１】
　
多層電子部品であって、
　各々が、４つの縁部で境界付けられた第１及び第２の面を有する第１の誘電体層と、前記第１の誘電体層の前記第１の面の一部を覆い、かつ、該第１の誘電体層の１つの縁部の少なくとも一部に延びる第１の導電性層とを含む、複数の第１の電極層と、
　各々が、４つの縁部で境界付けられた第１及び第２の面を有する第２の誘電体層と、前記第２の誘電体層の前記第１の面の一部を覆い、かつ、該第２の誘電体層の１つの縁部の少なくとも一部に延びる、前記第１の導電性層の鏡像として形成された第２の導電性層とを含む、前記複数の第１の電極層と交互に積層された複数の第２の電極層と、
　前記第１の電極層の前記少なくとも１つの縁部の一部を覆い、かつ、前記複数の第１の電極層の各々の前記第１の導電性層を電気的に接続する、第１の導電性終端層と、
　前記第２の電極層の前記少なくとも１つの縁部の一部を覆い、かつ、前記複数の第２の電極層の各々の前記第２の導電性層を電気的に接続する、第２の導電性終端層と、
を備え、
　前記複数の第１の電極層の一部は、前記複数の第２の電極層の一部と、接触しない関係で重なり合い、
　前記第１の導電性終結層及び前記第２の導電性終結層は、５面からなる終端部を形成し、該５面からなる終端部は、前記複数の第１の電極層及び前記複数の第２の電極層を覆い、
　前記第１の導電性終端層及び前記第２の導電性終端層は、前記第１の電極層及び前記第２の電極層の両方の前記少なくとも１つの縁部の一部に沿って、それらの間にギャップを形成するように構成され、
　それにより、前記第１の導電性終端層から、前記重なり合った複数の第１の電極層及び前記複数の第２の電極層を通って、前記第２の導電性終端層まで、最小の電流ループ面積が形成され、
　各々が、４つの縁部で境界付けられた第１及び第２の面を有する第１の誘電体層と、前記第１の誘電体層の前記第１の面の一部を覆い、各部分が、該第１の誘電体層の少なくとも３つの縁部分に延びる、第１及び第２の導電性部分を有する導電性層とを含む、上部層及び下部層をさらに備え、
　それにより、前記第１及び第２の導電性層の前記部分が、前記１つの縁部及び前記対向する縁部の両方から前記第１及び第２の電極層の両方への導電性アクセスを提供
し、
　
前記第１及び第２の誘電体層の各々の前記４つの縁部は、２つの対向する比較的長い方の縁部と、２つの対向する比較的短い方の縁部とを含み、前記導電性終端層は、前記比較的長い方の縁部の少なくとも１つに沿って形成され、それにより、前記多層電子部品は、前記比較的長い方の縁部の前記少なくとも１つに沿って基板上にマウントするように構成した
３．引用例の記載と引用発明の認定
（１）引用例１
　当審における平成２６年１０月２４日付け拒絶の理由に引用した特開２００７−１２９２２４号公報（以下、「引用例１」という。）には、図面と共に、以下の記載がある。
ア「【発明を実施するための最良の形態】
【００２９】
  本発明は、インダクタンスおよびＥＳＲが比較的低い部品を提供するために、狭間隔ターミネーションギャップおよび／または垂直方位電極を選択的に組み込む、デカプリングコンデンサのための改良された部品設計を目的とする。
【００３０】
  前述の背景技術のセクションで参照したように、多くの知られたシステムおよび方法が、
低インダクタンスおよび／または低ＥＳＲ値で特徴付けられる積層電子部品の形成を目的
前述の各アプローチの中核を成すのは、コンデンサとそのマウント場所との間に形成される電流通過ループ（ｃｕｒｒｅｎｔ  ｃａｒｒｙｉｎｇ  ｌｏｏｐ）の面積を最小化するという目標である
イ「【００９６】
　図２７Ａ〜２７Ｄは、図１５Ａ〜１５Ｃのコンデンサに類似するコンデンサ２７００の各態様を示す。コンデンサ２７００は電極層２７００ａ、２７００ｂを有し、電極層２７００ａ、２７００ｂのそれぞれは、略Ｕ字形ランドを有し、さらに、ターミネーション処理を支援するアンカータブを含む。そのようなデバイスでは、
誘電体シート２７５６の中心に第１の電極２７５２ａ（図２７Ａ）が設けられるが、その一部は、所与のマウント面に延び、その所与のマウント面から、隣接する側面に沿って、そのマウント面に対向する面まで連続的に露出する
第２の電極２７５２ｂ（図２７Ｂ）は、類似の配置で形成されるが、反転される
【００９７】
　
アンカータブ２７５４ａ、２７５８ａ、および２７５４ｂ、２７５８ｂは、導電性であり、ターミネーション材料の塗布の制御を支援する、電気的に隔離された層である
３０Ｉ
アンカータブは、ターミネーションめっき材料の核形成ポイントとして機能し、それによって、めっき処理の誘導を支援する
【００９８】
　
図２７Ｃは、図２７Ａおよび２７Ｂに対応する電極２７００ａ、２７００ｂの交互スタックを分解立体図で表したものである
【００９９】
　図２７Ｄは、ターミネーション前の一部組立て済みコンデンサ２７００の上面図であり、交互の電極層２７００ａ、２７００ｂを示している。コンデンサ２７００のターミネーションの例については、後で図３０〜３１に関して詳述する。
【０１００】
　次に、図２８Ａ〜２８Ｅは、本発明に従って構築された別の例示的コンデンサ２８００を示している。図２７Ａ〜２７Ｄに示した例示的コンデンサ２７００との比較からわかるように、コンデンサ２８００は、層２８００ｂが追加されていること以外は、あらゆる点でコンデンサ２７００に類似している。
【０１０１】
　図２８Ｂからわかるように、層２８００ｂは、電気的に隔離された４つのアンカータブ２８５２ａ、２８５２ｂ、２８５４ａ、２８５４ｂが上に設けられた誘電体シート２８５６に対応する。例示的コンデンサ２７００とともに図示したアンカータブの場合と同様に、アンカータブ２８５２ａ、２８５２ｂ、２８５４ａ、２８５４ｂは、ターミネーションめっき材料の核形成ポイントとして機能し、それによって、めっき処理の誘導を支援する。これについては、図３０〜３１を参照して詳述する。本発明によれば、層２８００ｂを設けることにより、
図３０〜３１に示すように、コンデンサのインターデジット式ターミネーションを可能にすることによって、ターミネーションの間隔をさらに効果的に減らすことが可能になり、それによって、等価直列インダクタンス（ＥＳＬ）がさらに減る
【０１０２】
　図２８Ａ〜２８Ｅをさらに参照すると、電極層２８００ａ、２８００ｂ、２８００ｃをそれぞれ層「Ａ」、「Ｂ」、および「Ｃ」と称することが可能である。図２８Ｄおよび２８Ｅにより具体的に示すように、本発明に従って構築された例示的コンデンサ２８００は、図２８Ｄの分解立体図および図２８Ｅのターミネーション前の一部組立て済み図に示されるようなスタックができるように、Ａ−Ｂ−Ｃ−Ｂに対応するシーケンスの繰り返しで層をスタックさせることによって構築可能である。
【０１０３】
　次に、
図２９Ｅは、既に図２８Ｅに示したコンデンサ２８００と同様の、ターミネーション材料を塗布する前の一部組立て済みコンデンサ２９００の斜視図である
【０１０４】
　次に、
図
３０Ｉ
例示的コンデンサ
２９００をターミネートする第１の方法を示している
３０Ｇ
２９Ｅと同一
２９００とその露出電極とを示している
隣接するフィンガー同士の間がショートしないようにめっき処理を制限する
３０３０および３０３２のようなインターデジット式フィンガーを有する部品を作ることにより、完成構造物の等価直列インダクタンスをさらに減らすことが可能になる
（ア）図２９ＡないしＥを参照すると、図２９Ａと図２９Ｃに示される４つの縁部で境界付けられた誘電体層のそれぞれの一方の面に形成された電極層は、交互に積層されるものであるから、コンデンサ２９００は、「多層電子部品」といえ、図２９Ａと、図２９Ｃに示されるそれぞれの電極層は、
「各々が、４つの縁部で境界付けられた第１及び第２の面を有する第１の誘電体層と、前記第１の誘電体層の前記第１の面の一部を覆い、かつ、該第１の誘電体層の１つの縁部の少なくとも一部に延びる第１の導電性層とを含む、複数の第１の電極層」と、
「各々が、４つの縁部で境界付けられた第１及び第２の面を有する第２の誘電体層と、前記第２の誘電体層の前記第１の面の一部を覆い、かつ、該第２の誘電体層の１つの縁部の少なくとも一部に延びる、前記第１の導電性層の鏡像として形成された第２の導電性層とを含む、前記複数の第１の電極層と交互に積層された複数の第２の電極層」といえる。
（イ）図２９Ｅに示されたコンデンサ２９００は、図３０ＧないしＩに示すようにめっき処理によりターミネートすることにより、図２９Ａと図２９Ｃに示される電極層は、それぞれその縁部の一部が覆われるとともに、複数の電極層は電気的に接続されるから、
「前記第１の電極層の前記少なくとも１つの縁部の一部を覆い、かつ、前記複数の第１の電極層の各々の前記第１の導電性層を電気的に接続する、第１の導電性終端層」と、
「前記第２の電極層の前記少なくとも１つの縁部の一部を覆い、かつ、前記複数の第２の電極層の各々の前記第２の導電性層を電気的に接続する、第２の導電性終端層」とを備えるものである。
　また、誘電体層の４つの縁部のうち、比較的長い方の縁部には、その両側において、第１、及び第２の両方の導電性終端層が形成されているから、「それにより、前記第１及び第２の導電性層の前記部分が、前記１つの縁部及び前記対向する縁部の両方から前記第１及び第２の電極層の両方への導電性アクセスを提供」するものである。
　ここで、第１、第２の導電性終端層は、終端部を構成するものではあるが、電極層の上面及び下面を覆うものではないから、「５面からなる終端部」を形成するものではない。
（ウ）段落【０１０４】の「フィンガー
３０３０および３０３２のようなインターデジット式フィンガーを有する
「前記複数の第１の電極層の一部は、前記複数の第２の電極層の一部と、接触しない関係で重なり合」うといえる。
（エ）段落【０１０４】の「
隣接するフィンガー同士の間がショートしないようにめっき処理を制限する
（オ）図３０Ｉに示されるコンデンサは、「
３０３０および３０３２のようなインターデジット式フィンガーを有する部品を作ることにより、完成構造物の等価直列インダクタンスをさらに減らすことが可能になる
コンデンサとそのマウント場所との間に形成される電流通過ループ（ｃｕｒｒｅｎｔ  ｃａｒｒｙｉｎｇ  ｌｏｏｐ）の面積を最小化するという目標
「それにより、前記第１の導電性終端層から、前記重なり合った複数の第１の電極層及び前記複数の第２の電極層を通って、前記第２の導電性終端層まで、最小の電流ループ面積が形成され」るといえる。
（カ）上記（イ）のとおり、コンデンサ２９００の誘電体層の４つの縁部のうち、比較的長い方の縁部には、その両側において、第１、及び第２の両方の導電性終端層が形成されている。
　また、段落【００９６】の「
誘電体シート２７５６の中心に第１の電極２７５２ａ（図２７Ａ）が設けられるが、その一部は、所与のマウント面に延び、その所与のマウント面から、隣接する側面に沿って、そのマウント面に対向する面まで連続的に露出する
第２の電極２７５２ｂ（図２７Ｂ）は、類似の配置で形成されるが、反転される
　以上（ア）〜（カ）の検討によれば、引用例１には、図２９ＡないしＥと、図３０ＧないしＩにかかる実施例のコンデンサ２９００として、下記の発明（以下、「引用発明」という。）が記載されていると認められる。
（引用発明）
「多層電子部品であって、
　各々が、４つの縁部で境界付けられた第１及び第２の面を有する第１の誘電体層と、前記第１の誘電体層の前記第１の面の一部を覆い、かつ、該第１の誘電体層の１つの縁部の少なくとも一部に延びる第１の導電性層とを含む、複数の第１の電極層と、
　各々が、４つの縁部で境界付けられた第１及び第２の面を有する第２の誘電体層と、前記第２の誘電体層の前記第１の面の一部を覆い、かつ、該第２の誘電体層の１つの縁部の少なくとも一部に延びる、前記第１の導電性層の鏡像として形成された第２の導電性層とを含む、前記複数の第１の電極層と交互に積層された複数の第２の電極層と、
　前記第１の電極層の前記少なくとも１つの縁部の一部を覆い、かつ、前記複数の第１の電極層の各々の前記第１の導電性層を電気的に接続する、第１の導電性終端層と、
　前記第２の電極層の前記少なくとも１つの縁部の一部を覆い、かつ、前記複数の第２の電極層の各々の前記第２の導電性層を電気的に接続する、第２の導電性終端層と、
を備え、
　前記複数の第１の電極層の一部は、前記複数の第２の電極層の一部と、接触しない関係で重なり合い、
　前記第１の導電性終結層及び前記第２の導電性終結層は、終端部を形成し、該終端部は、前記複数の第１の電極層及び前記複数の第２の電極層を覆い、
　前記第１の導電性終端層及び前記第２の導電性終端層は、前記第１の電極層及び前記第２の電極層の両方の前記少なくとも１つの縁部の一部に沿って、それらの間にギャップを形成するように構成され、
　それにより、前記第１の導電性終端層から、前記重なり合った複数の第１の電極層及び前記複数の第２の電極層を通って、前記第２の導電性終端層まで、最小の電流ループ面積が形成され、
　それにより、前記第１及び第２の導電性層の前記部分が、前記１つの縁部及び前記対向する縁部の両方から前記第１及び第２の電極層の両方への導電性アクセスを提供し、
　前記第１及び第２の誘電体層の各々の前記４つの縁部は、２つの対向する比較的長い方の縁部と、２つの対向する比較的短い方の縁部とを含み、前記導電性終端層は、前記比較的長い方の縁部の少なくとも１つに沿って形成され、それにより、前記多層電子部品は、前記比較的長い方の縁部の前記少なくとも１つに沿って基板上にマウントするように構成した
　多層電子部品。」
（２）引用例２
　当審における拒絶の理由に引用した特開平１１−１３５３６０号公報（以下、引用例２という）には、図面（図６〜８）と共に、以下の記載がある。
（ア）「【０００４】
【従来の技術】従来、
チツプ型コンデンサとして図６及び図７のように構成された
【０００５】かかる構成のチツプ型コンデンサ１においては、
図８に示す
得られたチツプの長手方向の両端部にそれぞれ第１又は第２の外部電極４Ａ、４Ｂを形成する
【０００６】この場合各電極２Ａ〜２Ｄは、それぞれ端部が順次交互にセラミツクシート３Ａ〜３Ｄの長手方向の一端又は他端にまで至るように当該セラミツクシート３Ａ〜３Ｄの一面上に形成されている。
【０００７】また各第１及び第２の外部電極４Ａ、４Ｂは、それぞれセラミツクシート３Ａ〜３Ｄの同じ一端側又は他端側にまで至る各電極２Ａ〜２Ｄと導通するようにデツプ処理により
銀−パラジウム（Ag-Pd ）からなる第１の電極層５Ａ、５Ｂをチツプの５面に亘つて形成する
（３）引用例３
　当審における拒絶の理由に引用した特開平１０−１４４５６２号公報（以下、引用例３という）には、図面（図３）と共に、以下の記載がある。
（ア）「【００１１】図１は本発明の一実施形態のグリーンチップの斜視図、図２は積層体の斜視図、
図３は積層セラミックコンデンサの斜視図
「【００１４】焼成後、それぞれの焼結体をバレル研磨機を用いて、
上下面のシート層４を除去
内部電極層２がその両端面に露出するように研磨
端面に外部電極５を塗布、焼付けを行い
外部電極５面上にメッキ処理を行って図３の積層セラミックコンデンサを完成させた
（４）引用例４
　当審における拒絶の理由に引用した特開平０８−３３０１７４号公報（以下、引用例４という）には、図面（図１）と共に、以下の記載がある。
（ア）「【００１０】
図１は本実施例におけるチップコンデンサの斜視図
【００１１】まず、誘電体層４１と内部電極４２とを交互に積層した素体４３を作製し（２１）、この素体４３の
内部電極４２の露出した両端面とこの両端面に続く側面と上、下両面の一部の計５面にＡｇを塗布（２２）、焼付け（２３）てＡｇ電極４４を形成した
（５）引用例５
　当審における拒絶の理由に引用した特開平０８−１６２３５７号公報（以下、引用例５という）には、図面（図１１）と共に、以下の記載がある。
（ア）「【０００７】
【発明が解決しようとする課題】従来の積層コンデンサ１は、
セラミック焼結体２を金属ペースト中に浸漬したりして外部電極４ａ，４ｂの第１の電極層５ａ，５ｂが形成されている
外部電極４ａ，４ｂの各電極層５ａ〜７ａは、セラミック焼結体２の両端部において、セラミック焼結体２の端面、上面、底面及び両側面の５面にまたがって形成されている
４．本願発明と引用発明の対比・判断
（１）対比
　本願発明と引用発明を対比すると、両者は、
「多層電子部品であって、
　各々が、４つの縁部で境界付けられた第１及び第２の面を有する第１の誘電体層と、前記第１の誘電体層の前記第１の面の一部を覆い、かつ、該第１の誘電体層の１つの縁部の少なくとも一部に延びる第１の導電性層とを含む、複数の第１の電極層と、
　各々が、４つの縁部で境界付けられた第１及び第２の面を有する第２の誘電体層と、前記第２の誘電体層の前記第１の面の一部を覆い、かつ、該第２の誘電体層の１つの縁部の少なくとも一部に延びる、前記第１の導電性層の鏡像として形成された第２の導電性層とを含む、前記複数の第１の電極層と交互に積層された複数の第２の電極層と、
　前記第１の電極層の前記少なくとも１つの縁部の一部を覆い、かつ、前記複数の第１の電極層の各々の前記第１の導電性層を電気的に接続する、第１の導電性終端層と、
　前記第２の電極層の前記少なくとも１つの縁部の一部を覆い、かつ、前記複数の第２の電極層の各々の前記第２の導電性層を電気的に接続する、第２の導電性終端層と、
を備え、
　前記複数の第１の電極層の一部は、前記複数の第２の電極層の一部と、接触しない関係で重なり合い、
　前記第１の導電性終結層及び前記第２の導電性終結層は、終端部を形成し、該終端部は、前記複数の第１の電極層及び前記複数の第２の電極層を覆い、
　前記第１の導電性終端層及び前記第２の導電性終端層は、前記第１の電極層及び前記第２の電極層の両方の前記少なくとも１つの縁部の一部に沿って、それらの間にギャップを形成するように構成され、
　それにより、前記第１の導電性終端層から、前記重なり合った複数の第１の電極層及び前記複数の第２の電極層を通って、前記第２の導電性終端層まで、最小の電流ループ面積が形成され、
　それにより、前記第１及び第２の導電性層の前記部分が、前記１つの縁部及び前記対向する縁部の両方から前記第１及び第２の電極層の両方への導電性アクセスを提供し、
　前記第１及び第２の誘電体層の各々の前記４つの縁部は、２つの対向する比較的長い方の縁部と、２つの対向する比較的短い方の縁部とを含み、前記導電性終端層は、前記比較的長い方の縁部の少なくとも１つに沿って形成され、それにより、前記多層電子部品は、前記比較的長い方の縁部の前記少なくとも１つに沿って基板上にマウントするように構成した
　多層電子部品。」
の点で一致し、以下の点で相違している。
［相違点１］
　本願発明は、「前記第１の導電性終結層及び前記第２の導電性終結層は、５面からなる終端部を形成し、該５面からなる終端部は、前記複数の第１の電極層及び前記複数の第２の電極層を覆」うのに対し、引用例１発明では、「前記第１の導電性終結層及び前記第２の導電性終結層は、終端部を形成し、該終端部は、前記複数の第１の電極層及び前記複数の第２の電極層を覆」うが、「終端部」は、電極層の上面及び下面を覆うものではないから、「５面からなる終端部」ではない点。
［相違点２］
　本願発明は、「各々が、４つの縁部で境界付けられた第１及び第２の面を有する第１の誘電体層と、前記第１の誘電体層の前記第１の面の一部を覆い、各部分が、該第１の誘電体層の少なくとも３つの縁部分に延びる、第１及び第２の導電性部分を有する導電性層とを含む、上部層及び下部層をさらに備え」るのに対し、引用発明は、「・・・上部層及び下部層をさらに備え」るものではない点。
（２）相違点１，２の判断
［相違点１］について
　上記３．（２）〜（５）のとおり、積層コンデンサなどの多層電子部品において、多層電子部品の外部電極を５面に形成することは、周知慣用技術にすぎないものと認められるから、引用発明において、「終端部」を電極層の上面及び下面をも覆うものとして、終端部を「５面からなる終端部」とすることは、当業者が多層電子部品の設計に際して、必要に応じてなし得る設計的事項にすぎないものである。
［相違点２］について
　終端部を「５面からなる終端部」とする場合、電極層の上面及び下面にも終端部を形成することになるが、電極層の下面と上面に導電性部分を形成すると、上面及び下面に終端部を形成する際に、電極層の密着性が向上することは明らかであるから、引用発明の多層電子部品を「各々が、４つの縁部で境界付けられた第１及び第２の面を有する第１の誘電体層と、前記第１の誘電体層の前記第１の面の一部を覆い、各部分が、該第１の誘電体層の少なくとも３つの縁部分に延びる、第１及び第２の導電性部分を有する導電性層とを含む、上部層及び下部層をさらに備え」るものとすることは、当業者が容易になし得ることにすぎない。
　そして、本願発明の作用効果も、引用発明、及び引用例２ないし５に記載された周知慣用技術から当業者が予測できる範囲のものである。
（３）審判請求人の主張について
ア　審判請求人は、平成２７年１月２２日付けの意見書において、主に下記の（ア）〜（ウ）により、本願発明は，引用文献１から６に基づいて，進歩性を否定されるものではない旨の主張を行っている。
（ア）「引用文献１から６のいずれの文献にも、
本願発明の１つの特徴である「前記第１及び第２の誘電体層の各々の前記４つの縁部は、２つの対向する比較的長い方の縁部と、２つの対向する比較的短い方の縁部とを含み、前記導電性終端層は、前記比較的長い方の縁部の少なくとも１つに沿って形成され、それにより、前記多層電子部品は、前記比較的長い方の縁部の前記少なくとも１つに沿って基板上にマウントするように構成した」ことは記載も示唆もされていません
（イ）「
本願発明は「導電性終端層を比較的長い方の縁部に沿って形成することで、対向する電極間のギャップの代わりに、重なり領域が形成され、この重なり領域が回路経路長を短くして、それゆえに、インダクタンスをより小さい値に低減するという、引用文献１から６には記載も示唆もされていない有利な効果を奏する
（ウ）「インダクタンスの低減について、
引用文献１
内部電極および周辺ターミネーションランドの構成によって実現される」（段落［００２１］）ことは記載されている
本願発明の上記特徴は開示されておらず
本願発明の有利な効果を参酌
本願発明の進歩性を否定できるものではない
イ　審判請求人の主張に対する判断
（ア）引用発明は、「コンデンサ２９００の比較的長い方の縁部の少なくとも１つに沿って形成される「導電性終端層」は、マウント面に形成される導電性終端層と理解することができ、それにより、コンデンサ２９００は、前記比較的長い方の縁部の前記少なくとも１つに沿って基板上にマウントするように構成したものといえる」ことは、上記２．（１）（カ）のとおりである。
（イ）引用発明は、「
３０３０および３０３２のようなインターデジット式フィンガーを有する部品を作ることにより、完成構造物の等価直列インダクタンスをさらに減らすことが可能になる
３０３０および３０３２のようなインターデジット式フィンガー
完成構造物の等価直列インダクタンスをさらに減らす
（ウ）引用発明において，低インダクタンスは、「
内部電極および周辺ターミネーションランドの構成によって実現される
３０３０および３０３２のようなインターデジット式フィンガーを有する部品を作ることにより、完成構造物の等価直列インダクタンスをさらに減らすことが可能になる
　したがって、審判請求人の上記主張は、採用することができない。
５．むすび
　以上のとおり、本願発明は、引用例１に記載された引用発明、及び引用例２ないし５に記載された周知慣用技術に基づいて当業者が容易に発明をすることができたものであるから、特許法第２９条第２項の規定により特許を受けることができない。
　したがって、本願は、その余の請求項について論及するまでもなく拒絶すべきものである。
　よって、結論のとおり審決する。